(57)【特許請求の範囲】
【請求項１】
建造物内における区画間に設けられているドア取付構造体に取り付けられ、これら区画を互いに換気及び遮音可能に閉じるための換気遮音ドアであって、
内部に鉛直方向に延びる通気用貫通孔が形成され、上端及び下端にこの通気用貫通孔の開口が形成されているドア本体と、
ドア本体の下端から下方に間隔を置いて配置されている下枠材と、
鉛直方向に延びドア本体及び下枠材の両側端面にそれぞれ結合されドア本体と下枠材とを間隔を置いて連結する一対の縦枠材と、
ドア本体の下端面、下枠材の上端面及び各縦枠材の内側側面により形成される通気空間を一方の区画から遮蔽する遮蔽部材と、を備える、ことを特徴とする換気遮音ドア。
【請求項２】
ドア閉鎖時に前記通気用貫通孔の上端部が一方の区画側へ露出するように、ドア本体の上端部における一方の区画側部分が切り欠かれている、ことを特徴とする請求項１に記載の換気遮音ドア。
【請求項３】
通気空間が位置するドア部分の強度を補強する補強板が、通気空間における一方の区画側に配置されるように、縦枠材、下枠材及びドア本体の少なくともいずれかに固定されている、ことを特徴とする請求項１に記載の換気遮音ドア。
【請求項４】
前記下枠材の下部に取り付けられ、下降して床面と接触すると床面との隙間を閉塞する遮音部材と、
ドアが閉じられると前記遮音部材を下降させて床面に接触させ、ドアが開かれると前記遮音部材を床面から上昇させる昇降機構と、を有する、ことを特徴とする請求項１に記載の換気遮音ドア。
【発明の詳細な説明】
【技術分野】
【０００１】
本発明は、集合住宅、一戸建て住宅等の建造物内における区画間に取り付けられ、これら区画を互いに換気及び遮音可能に閉じるための換気遮音ドアに関する。
【背景技術】
【０００２】
近年、住宅の遮音性能は格段に向上してきており、外部騒音を遮断して静かな室内環境を創出できるようになっている。しかし、外部騒音の遮断による静寂によって、逆に住宅内で生じる雑音が聞き取り易くなるという現象が生じてきている。
【０００３】
こうした問題に対応するため、トイレをはじめとする各居室のドアを防音構造にする手段が講じられている。しかし、防音構造により密閉することで換気上の問題が生じることは従来から指摘されているところであり、換気口付き遮音ドアについても特許文献１〜３のように様々な提案が成されている。
【０００４】
特許文献１に開示されている防音換気建具は、ドアに換気口を設けた代表的な構造を示すものである。
図１０（Ａ）は、特許文献１のドア構造を示す正面図であり、図１０（Ｂ）はその縦断面図である。図１０に示すように、上部に換気口５１が形成された板状体５３と、下部に換気口５４が形成された板状体５５とを対向させ、これら２枚の板状体５３、５５の周縁間を桟材５７によって閉塞している。これにより、内部に空洞５８を形成しこの空洞５８の内面に吸音材５９を貼り付けている。
このように、ドアの各側にて位置が異なるように換気口５１、５４が設けられるので、遮音性が確保されつつ換気も可能となっている。
【０００５】
また、特許文献２に開示されている換気口一体型ドア又は引き戸は、厚物木質材でドアを形成するものである。
図１１（Ａ）は、特許文献２のドア構造を示す斜視図であり、図１１（Ｂ）はその縦断面図である。図１１に示すように、ドアの上下方向に厚物板６１の内部を貫通する複数の貫通孔６３を形成し、ドアの上下両端における貫通孔６３の開口を栓６５で塞ぐと共に、ドアの表面に貫通孔６３に通じる通気孔６６を形成している。
これにより、特許文献２でも、ドアの各側にて位置が異なるように換気口が設けられるので、遮音性が確保されつつ換気も可能となっている。
【０００６】
特許文献３に開示されている通気遮音ドアは、図１２に示すように上下動する遮音部材７１を有する。この遮音部材７１は、ドアの開放時には、図１２（Ａ）に示すようにドア下端面に形成された収納溝７３に没入され、ドアの閉鎖時には図１２（Ｂ）に示すようにドア本体７４の下端面から下降してきてドアと床面との隙間を閉塞する。
ドアの閉鎖により遮音部材７１が下降しドアと床面との隙間を閉塞している状態では、図１２（Ｂ）に示すように、通気迂回路７５が形成される。
このように、ドアの閉鎖時には、ドアと床面との隙間が閉塞され、かつ、通気迂回路７５が形成されるので、遮音されつつ換気も可能となっている。
【特許文献１】特開平９−２３５９６０号公報  「防音換気建具」
【特許文献２】実開平５−０５４７９２号公報  「換気孔一体型ドア又は引戸」
【特許文献３】特開平８−２８４５４６号公報  「通気遮音ドア」
【発明の開示】
【発明が解決しようとする課題】
【０００７】
しかし、特許文献１の構造では、例えば、板状体５３、５５が木質の場合、ドア自体の強度を確保するために相当の厚さの板状体を２枚用いる必要があり、換気のための空洞部５８の大きさや吸音材５９の厚みを考慮するとドアの厚さが必要以上に厚くなるという問題がある。
また、板状体５３、５５を鋼板とした場合は、板状体の厚みを薄くできるものの、ドアを閉めた際の衝撃による振動で鋼板が振動し、共鳴を起こす恐れがある。そのため、制振鋼板を用いるか、板状体の振動を抑制する部材を付加するなどの処置が必要である。従って、高価になるだけでなく、ドアが重くなる上に、鋼板という硬質さが、一般の住宅には馴染まないという問題も生じる。
【０００８】
特許文献２の構造では、特許文献１のように２枚の板を用いるものではなく、１枚の厚物板６１を用い、この厚物板６１の内部に複数の貫通孔６３を形成している。つまり、１枚の厚物板６１を用いるので、木質ドアであっても適度な厚さと強度とすることができる。
しかし、貫通孔６３と通じるように通気孔６６を、貫通孔６３に合わせた位置にてドアの表面に形成しなければならない。従って、ドアの加工が煩雑になり、特に、通気孔６６と貫通孔６３の位置がずれた場合には、そのドアは製品にならなくなってしまう。
また、ドアの上下に形成される貫通孔口を栓６５で塞ぐ構造であるため、この栓６５がドアの下端から下方へ突出することになる。従って、ドアの取り付け位置の床面が平らである場合、防音ドアにするためには、床面とドアの隙間を無くすため、ドア枠の床面部分に密閉突起を設ける必要がある。この場合は床面に密閉突起が突出することになり、ドアを開放し人がドアを歩行通過する際の障害となる。
【０００９】
特許文献３の構造では、ドアの閉鎖時にドアの下端面から遮音部材７１が下降し、ドアの下端面と床面との隙間を閉塞する構造であるため、特許文献２において、床面が平らである場合にドア枠の床面部分に密閉突起を設けなければならないという問題を解消することができる。
しかし、遮音部材７１を迂回して通気路７５を確保する構造であるため、十分な換気量を確保しようとすると迂回通気路７５の幅を大きくする必要がある。逆に、遮音性を確保しようとすると、迂回通気路７５を小さくする必要がある。
すなわち、迂回通気路７５の幅を大きくすると、遮音性を低下させる結果になり、迂回通気路７５を小さくすると、適切な換気量を確保できなくなる。従って、十分な遮音性と通気性を同時に確保することができない。
【００１０】
そこで、本発明の目的は、上述の課題に鑑み、木質材料であっても必要な強度と適度な厚みを維持でき、簡単な加工で十分な換気性と遮音性を確保できる換気遮音ドアを提供することにある。
【課題を解決するための手段】
【００１１】
本発明によると、上記目的を達成するため、建造物内における区画間に設けられているドア取付構造体に取り付けられ、これら区画を互いに換気及び遮音可能に閉じるための換気遮音ドアであって、内部に鉛直方向に延びる通気用貫通孔が形成され、上端及び下端にこの通気用貫通孔の開口が形成されているドア本体と、ドア本体の下端から下方に間隔を置いて配置されている下枠材と、鉛直方向に延びドア本体及び下枠材の両側端面にそれぞれ結合されドア本体と下枠材とを間隔を置いて連結する一対の縦枠材と、ドア本体の下端面、下枠材の上端面及び各縦枠材の内側側面により形成される通気空間を一方の区画から遮蔽する遮蔽部材と、を備える、ことを特徴とする換気遮音ドアが提供される。
【００１２】
このように、本発明の構造では、通気用貫通孔が内部に形成されているドア本体と、ドア本体の下方に間隔を置いて配置された下枠材とが、これらの両側端面に結合されている一対の縦枠材により連結されることで、ドア本体と下枠材との間に通気空間が形成されている。これにより、以下の効果（１）〜（４）が得られる。
【００１３】
（１）ドア本体の内部に通気用貫通孔が形成されている構造なので、木質材料から適度な厚みを有する１枚板のドア本体を形成することで、十分な強度を得ることができる。
【００１４】
（２）また、上記構成を有する本発明の換気遮音ドアは、例えば次のようなドア取付構造体に取り付けた場合に十分な換気性を発揮する。
すなわち、建造物内における区画間に設けられたドア取付構造体が、そのドア取付構造体上部から下方に延びる戸当りを有している場合である。このドア取付構造体の側部に鉛直軸の周りに開閉可能にドアを取り付けることができる。そして、ドアを閉じたときに、ドア上端部が上記戸当りに水平方向に密閉接触することで、ドア本体の上端における通気用貫通孔の開口が、一方の区画にはドア上端とドア取付構造体上部の隙間により連通するが、戸当たりの反対側にある他方の区画には戸当たりに遮られ非連通となる。
従って、このような場合、ドア閉鎖時にドア本体の上端における通気用貫通孔の開口が一方の区画へ通じる。一方、通気空間は他方の区画へ通じている。
このように、通気用貫通孔と通気空間を通して両方の区画が連通することになるので、十分な換気性が確保される。
【００１５】
（３）さらに、ドア本体の上端における通気用貫通孔の開口が一方の区画へ通じ、ドア本体の下方に位置する通気空間が他方の区画へ通じるので、ドアの各側にて換気口の位置が大きく異なる。これにより、遮音性も高く維持することができる。
【００１６】
（４）特に、本発明によると、特許文献２と異なりドア本体内部の通気用貫通孔を他方の区画へ連通させるために、他方の区画へ通じる通気空間を形成している。この通気空間は、ドア本体の下端から下方に間隔を置いて下枠材を配置し、ドア本体と下枠材を縦枠材で連結することで、ドア本体と下枠材との間に形成される。従って、複雑な加工を一切行うことなく、ドア閉鎖時において両区画を連通させる通気路を簡単に形成することができる。
【００１７】
よって、上記本発明の換気遮音ドアの構成によれば、木質材料であっても必要な強度と適度な厚みを維持でき、簡単な加工で十分な換気性と遮音性を確保できる。
【００１８】
本発明の好ましい実施形態によると、ドア閉鎖時に前記通気用貫通孔の上端部が一方の区画側へ露出するように、ドア本体の上端部における一方の区画側部分が切り欠かれている。
【００１９】
ドアを上記のようなドア取付構造体に取り付けた場合に、ドア閉鎖時において、ドア上端とドア取付構造体上部の隙間が小さいと、ドア本体の上端における通気用貫通孔の開口と一方の区画との間の通気性が低くなる。
ところが、上記構成では、ドア本体の上端部における一方の区画側部分が切り欠かれていることにより、通気用貫通孔の上端部が一方の区画へ露出するので、上述の場合でも、通気用貫通孔と一方の区画との通気性を十分なものとすることができる。
【００２０】
また、好ましくは、通気空間が位置するドア部分の強度を補強する補強板が、通気空間における一方の区画側に配置される。配置するに当っては、縦枠材、下枠材及びドア本体の少なくともいずれかに固定するのがよい。また、補強板は、遮音性を確保する機能も持つ。
【００２１】
このように、強度が低くなった通気空間が位置するドア部分に補強板を設けているので、通気空間を設けても十分なドアの強度を維持することができる。
【００２２】
また、前記下枠材の下部に取り付けられ、下降して床面と接触すると床面との隙間を閉塞する遮音部材と、ドアが閉じられると前記遮音部材を下降させて床面に接触させ、ドアが開かれると前記遮音部材を床面から上昇させる昇降機構と、を有する。
【００２３】
ドアを閉じたときにドア下端と床面（即ち、ドア取付構造体下部）との間に隙間があると、十分な遮音性を確保することができなくなる。
ところが、上記構成では、昇降機構は、ドアが閉じられると遮音部材を床面と接触させ床面との隙間を閉塞するように下降させるので、ドアを閉じたときにドア下端と床面との隙間を閉塞することができる。
従って、ドア下端と床面との間に隙間がある場合にも、高い遮音性を維持することができる。
【発明の効果】
【００２４】
上述のように、本発明によると、木質材料であっても必要な強度と適度な厚みを維持でき、簡単な加工で十分な換気性と遮音性を確保できる。
【発明を実施するための最良の形態】
【００２５】
本発明の好ましい実施形態を図面を参照して説明する。なお、各図において共通する部分には同一の符号を付し、重複した説明を省略する。
【００２６】
［第１実施形態］
図１は、本発明の実施形態による換気遮音ドア１０の構成を示す斜視図である。この換気遮音ドア１０は、本実施形態では、集合住宅や一戸建てなどの住宅内の各部屋や廊下など（以下、単に区画と言う）を互いに換気及び遮音可能に閉塞するためにこれらの間に取り付けられて使用されるドアである。
【００２７】
図１に示すように、本実施形態による換気遮音ドア１０は、ドア本体１と、ドア本体１の下端から下方に間隔を置いて配置されている下枠材３と、鉛直方向に延びドア本体１及び下枠材３の両側端面にそれぞれ結合されドア本体１と下枠材３とを間隔を置いて連結する一対の縦枠材５と、を有する。
【００２８】
ドア本体１は、好ましくは、木質材料から形成されている。これにより、換気遮音ドア１０を軽量にでき、かつ、ドアとしての強度も十分なものとすることができる。
さらに、好ましくは、ドア本体１は木質材料からなる押出プレス成型チップボードである。ドア本体１を押出プレス成型チップボードにすることで、安価にドア本体１を作製することができる。
【００２９】
ドア本体１の内部には、ドア本体１の上端及び下端にて開口している複数の通気用貫通孔７が鉛直方向に形成されている。
【００３０】
なお、ドア本体１として、押出プレス成型チップボードではない１枚板の木材を使用してもよい。また、通気用貫通孔７に対応する凹凸を有する２枚の板材を、凸部同士が接触するように重ねて合わせてドア本体１を接着形成してもよい。その他の適切な方法で、ドア本体１を形成することもできる。
【００３１】
縦枠材５は、上述のように形成されたドア本体１の両側端面に結合される。この結合は、例えば、接着剤やネジ等により行うことができる。
縦枠材５は、鉛直方向に延びており、その下部はドア本体１よりも下方に延びている。
ドアの軽量化のため、縦枠材５も木質材により形成することが好ましい。
【００３２】
下枠材３は、ドア本体１との間に通気空間９を形成するようにドア本体１の下端から下方へ間隔をおいて配置され、その両側端面がそれぞれ対応する縦枠材５に結合される。すなわち、通気空間９は、ドア本体１の下端面、下枠材３の上端面３ａ及び各縦枠材５の内側側面５ａにより区画形成される。
この通気空間９が形成されているドア部分ではドアの強度が低下するため、この部分に鋼製等からなる補強板を設ける。補強板１１としては、後述する化粧パネル１４の裏面に貼る平板でもよいが、例えば、図２（Ａ）に示すように、各縦枠材５の内側端面５ａ（図１参照）に宛がわれる面１１ａを有するコの字型のものや、図２（Ｂ）に示すように、下枠材３の上端面３ａ（図１参照）に宛がわれる面１１ｂを有するＬ字型のものを用いることができる。このような補強板１１を、縦枠材５や横枠材に接着材やネジ等で固定することで、通気空間９が形成されている部分の強度を十分なものとすることができる。また、補強板１１を設けることで、ドアとして厚さが薄くなる部分の遮音性を確保できる。
ドアの軽量化のため、下枠材３も木質材により形成することが好ましい。
【００３３】
上述の互いに結合されたドア本体１、縦枠材５、下枠材３及び補強材からなる構造の両側端面と前後面に化粧パネルを貼り、換気遮音ドア１０を製作することができる。
図３は、このように化粧パネルを貼って作製した換気遮音ドア１０を示している。なお、図３（Ａ）は一方の区画側から見た図であり、図３（Ｂ）は他方の区画側から見た図である。化粧パネル１４は、ドアにより互いに閉じられる区画の一方から通気空間９を閉塞する。なお、通気空間９を一方の区画から閉塞する化粧パネル１４は遮蔽部材を構成するが、上記補強部材や他の適切な部材で遮蔽部材を構成してもよい。
一方、化粧パネル１５には、通気空間９に対応する位置にて、通気空間９に合わせた大きさの開口が形成されており、この開口にガラリ１７を取り付けている。符号１６も化粧パネルを示している。
【００３４】
図４は、このように作製された換気遮音ドア１０を、住宅内に設けられたドア枠２１に取り付けた状態を示す縦断面図である。なお、本実施形態の換気遮音ドア１０は、ドア枠２１の側部に鉛直軸の周りに開閉可能に取り付けることができる。なお、ドア枠２１は、ドア取付構造体を構成する。
【００３５】
図４に示すように、換気遮音ドア１０が閉じられると、ドアの上端部と下端部がドア枠２１の戸当り２２、２３に取り付けられた密閉部材２５（例えば、ＡＢＳ樹脂などの軟質樹脂）に密閉接触して上端部と下端部においてドアの両側（一方の区画２７と他方の区画２８）が互いに閉塞される。
ところが、通気用貫通孔７はドア本体１の上端にて開口している。すなわち、通気用貫通孔７は、ドア上端とドア枠上部との隙間３１に開口しているので、この隙間３１を通して、通気用貫通孔７が一方の区画２７（ドアの一方側）と通じる。
一方、通気空間９は他方の区画２８（ドアの他方側）に通じており、この通気空間９はドア本体１の下端に開口している通気用貫通孔７にも直接連通している。
従って、図４に示すように、ドアの両側２７、２８は互いに通気空間９と通気用貫通孔７により通じているので、十分な通気性が確保される。
【００３６】
また、このような通気空間９と通気用貫通孔７により形成される通気路が、ドアの各側で開口する箇所は、それぞれ通気空間９の位置であるドア下部と、通気用貫通孔７が開口しているドア本体１の上端であるので、ドアの各側における換気口の位置は大きく異なっている。
従って、ドアにドア両側へ連通する通気路を形成しても遮音性を高く維持することができる。
特に、本実施形態では、ドア本体内部の通気用貫通孔７を他方の区画２８へ連通させるために、他方の区画２８へ通じる通気空間９を形成している。この通気空間９は、ドア本体１の下端から下方に間隔を置いて下枠材３を配置し、ドア本体１と下枠材３を縦枠材５で連結することで、ドア本体１と下枠材３との間に形成される。従って、複雑な加工を一切行うことなく、ドア閉鎖時において両区画２７、２８を連通させる通気路を簡単に形成することができる。
【００３７】
［第２実施形態］
図５は、本発明の第２実施形態による換気遮音ドア１０’の構成図である。なお、図５（Ａ）は一方の区画側から見た図であり、図５（Ｂ）は他方の区画側から見た図である。この換気遮音ドアの構成は、第１実施形態による換気遮音ドア１０の上端部に切り欠き部１２を設けたものである。その他の構成は第１実施形態のものと同様なので、異なる構成について説明する。
【００３８】
図５に示すように、ドアの上端部において一方の区画側部分が切り欠かれている。これにより、ドア本体１の内部に形成されている通気用貫通孔７の側部が一方の区画２７へ露出するようになっている。なお、図６は、第１実施形態の場合と同様に図５のものに化粧パネル１４、１５、１６を貼り付けたものを示す。
【００３９】
図７は、第２実施形態による換気遮音ドア１０’を、住宅内における区画間に設けられたドア枠２１に取り付けた状態を示す縦断面図である。
図７に示すように、ドア枠２１の上部から下方に延びている戸当り２２の高さが小さいことなどにより、ドア上端とドア枠上部との間の隙間３１を十分に確保できないため、ドアの通気性が低下する。
ところが、上述のように第２実施形態によれば、ドア枠２１の上端部にて一方の区画側部分が切り欠かれていることにより、ドア本体１の内部の通気用貫通孔７が一方の区画２７に露出するため、十分な通気性を確保することができる。
【００４０】
このように第２実施形態によると、住宅内に設けられるドア枠上部とドア上端の隙間が小さい場合にも、上記切り欠き部１２により十分な通気性を確保できる。
【００４１】
［第３実施形態］
図８は、本発明の第３実施形態による換気遮音ドア１０’’をドア枠２１に取り付けた状態を示す縦断面図である。
この換気遮音ドア１０’’は、ドアの下端部に昇降する遮音部材３５を設けたものである。その他の構成は、第１実施形態又は第２実施形態と同様なので、異なる構成について説明する。
【００４２】
図８に示すように、住宅内においける区画間に設けられたドア枠下部（即ち、床面）が平らである場合には、ドア閉鎖時にドア下端と床面との間に隙間が生じてしまうので、十分な遮音性を確保することができない。
【００４３】
そのため、本実施形態では、ドア下部に硬質ゴムなどで形成された遮音部材３５を設ける。この遮音部材３５は、ドアが閉じると昇降機構により下枠材３に設けられた収納部３６から下降し床面と接触して、ドアの両側２７、２８を互いに閉塞する。一方、ドアが開くと、遮音部材３５は上昇して収納部３６に収納される。なお、収容部は下枠材３の下部に結合された別の枠材の内部に形成してもよい。
【００４４】
遮音部材３５、昇降機構としては、例えば上記特許文献３に記載されているものを用いることができる。
図９は特許文献３の昇降機構の構成を示しており、図９（Ａ）はドア開放時の状態を、図９（Ｂ）はドア閉鎖時に状態を示している。
昇降機構は、遮音部材３５を上昇させる構成要素として、図９（Ａ）に示すように、遮音部材３５を上方に付勢移動させるバネ３８を有する。
また、昇降機構は、遮音部材３５を下降させる構成要素として、図９（Ｂ）に示すように、ドア枠２１の側部に接触することで、横方向に移動するドア枠接触部材３９と、ドア枠接触部材３９に押されて下方に移動するボール４１と、ボール４１に押されて下方に移動するスライドピン４２と、を有する。
スライドピン４２が下方に移動することで、バネ３８の弾性力に抗して遮音部材３５が下方に移動し床面と接触する。これにより、ドアの下端と床面との間の隙間が閉塞される。
【００４５】
なお、上記昇降機構は下枠材３の内部に設けてもよいし、下枠材３の下面に結合された別の枠材の内部に設けてもよい。また、ドア閉鎖時に、両側のドア枠側部にそれぞれ上記ドア枠接触部材３９が接触するように２箇所に昇降機構を設けてよい。
【００４６】
このように、ドアが取り付けられる部分の床面が平らである場合にも、上述のような遮音部材３５、収納部３６、昇降機構を設けることで、ドア閉鎖時にドアの下端と床面との間の隙間を閉塞することができる。
なお、遮音部材３５、収納部３６、昇降機構は、下枠材３の下部に設けた別の枠材に設けてもよいし、下枠材自体に設けてもよい。
【００４７】
［その他の実施形態］
上述では、換気遮音ドアを住宅用のドアとしていたが、本発明はこれに限定されず、本発明の換気遮音ドアを、ビルや船舶など他の建造物内における適切な区画間に取り付けることができる。また、通気用貫通孔や通気空間の内面に吸音材を貼り付けてもよい。
【００４８】
このように、本発明は上述した実施の形態に限定されず、本発明の要旨を逸脱しない範囲で種々変更を加え得ることは勿論である。
【図面の簡単な説明】
【００４９】
【図１】本発明の第１実施形態による換気遮音ドアの構成図である。
【図２】補強部材の構成例を示している。
【図３】図１の構成に化粧パネルを貼り付けた状態を示している。
【図４】第１実施形態による換気遮音ドアをドア枠に取り付けて閉じた状態を示す縦断面図である。
【図５】本発明の第２実施形態による換気遮音ドアの構成図である。
【図６】図５の構成に化粧パネルを貼り付けた状態を示している。
【図７】第２実施形態による換気遮音ドアをドア枠に取り付けて閉じた状態を示す縦断面図である。
【図８】第３実施形態による換気遮音ドアをドア枠に取り付けて閉じた状態を示す縦断面図である。
【図９】伸張機構の構成を示す横断面図である。
【図１０】特許文献１のドア構造を示している。
【図１１】特許文献２のドア構造を示している。
【図１２】特許文献のドア構造を示している。
【符号の説明】
【００５０】
１  ドア本体
３  下枠材
５  縦枠材
７  通気用貫通孔
９  通気空間
１０  換気遮音ドア
１１  補強板
１２  切り欠き部
１４、１５、１６  化粧パネル
１７  ガラリ
２５  密閉部材
３５  遮音部材
３６  収納部
３８  バネ
３９  ドア枠接触部材
４１  ボール
４２  スライドピン
【図１】
0004570158.tif 000002
【図２】
0004570158.tif 000003
【図３】
0004570158.tif 000004
【図４】
0004570158.tif 000005
【図５】
0004570158.tif 000006
【図６】
0004570158.tif 000007
【図７】
0004570158.tif 000008
【図８】
0004570158.tif 000009
【図９】
0004570158.tif 000010
【図１０】
0004570158.tif 000011
【図１１】
0004570158.tif 000012
【図１２】
0004570158.tif 000013